(57)【要約】【課題】  小型で安価、かつ耐久性の高く、施錠または開錠できる鍵を変更することができるシリンダ錠を提供できるようにする。【解決手段】  内周シリンダ２０３に挿入された鍵の挿入部４１２のキーコードに対応する位置決め面に開閉プレート２３１−４が当接することによって、開閉プレート２３１−４が上下方向に移動する。開閉プレート２３１−４の移動に伴って、開閉プレート２３１−４と係合しているタンブラプレート２３３−４も上下方向に移動し、サイドバー２５１の凸部２５１ａとタンブラプレート２３３−４の凹部２３３−４ａが嵌合して、内周シリンダ２０３が回動可能となる。開閉プレート２３１−４とタンブラプレート２３３−４の上下方向の係合位置を変更することで、キーコードを変更することができる。本発明は、シリンダ錠に適用することができる。【選択図】図３８
2005232800.tif 000002
【特許請求の範囲】
【請求項１】
シリンダに挿入された鍵のキーコードに対応する面に当接することによって、前記キーコードに応じて前記面の位置が変化する方向である第１の方向の第１の位置に移動させられる開閉プレートと、
前記第１の方向に直交し、前記鍵の挿入の方向と平行な第２の方向の位置が第２の位置または第３の位置に移動可能に設けられたタンブラプレートと、
前記タンブラプレートを、前記シリンダの回動位置に応じて、前記第２の方向の前記第２の位置または前記第３の位置に移動させるサイドバーと
を含み、
前記タンブラプレートは、
前記第２の方向の前記第２の位置に移動している場合、前記開閉プレートに設けられた前記第１の方向に並ぶ複数の位置決め部分のうちの、１つの前記位置決め部分と、自分の一部とが係合することによって、係合している前記位置決め部分の位置と前記第１の位置とによって定まる前記第１の方向の第４の位置に移動させられ、前記第１の方向の前記第４の位置によって、前記サイドバーの前記第１の方向および前記第２の方向に直交する第３の方向の移動を規制することにより施錠するか、または開錠する動作を決定し、
前記第２の方向の前記第３の位置に移動している場合、自分の一部と、前記開閉プレートに設けられた前記位置決め部分との係合を解除させられ、
前記開閉プレートは、
前記鍵が挿入されたとき、挿入された前記鍵のキーコードに対応する面に当接することによって、挿入されている前記鍵のキーコードに対応する前記面で定まる位置であって、複数の前記位置決め部分のうちの、１つの前記位置決め部分と自分の一部とが係合することができる前記第１の方向の位置に移動させられる
ことを特徴とするシリンダ錠。
【請求項２】
前記開閉プレートと前記タンブラプレートとは、穴とピンとにより係合する
ことを特徴とする請求項１に記載のシリンダ錠。
【請求項３】
前記開閉プレートが前記鍵のキーコードに対応する前記面に当接するように、前記開閉プレートを付勢するバネをさらに含む
ことを特徴とする請求項１に記載のシリンダ錠。
【請求項４】
バネで構成される尖端部を有し、前記シリンダに前記鍵が完全に挿入されていない場合、前記尖端部が前記シリンダの鍵穴に掛止し、前記シリンダに前記鍵が完全に挿入された場合、前記鍵により前記尖端部が押圧されることにより、前記シリンダの鍵穴との掛止が解除される掛止手段をさらに含む
ことを特徴とする請求項１に記載のシリンダ錠。
【請求項５】
前記尖端部を覆うボタンをさらに備え、
前記シリンダに前記鍵が完全に挿入されていない場合、前記ボタンが前記シリンダの鍵穴に掛止し、前記シリンダに前記鍵が完全に挿入された場合、前記鍵により前記ボタンが押圧されることにより、シリンダの鍵穴との掛止が解除される
ことを特徴とする請求項４に記載のシリンダ錠。
【請求項６】
前記シリンダに前記鍵が完全に挿入された場合、前記鍵の尖端部が前記シリンダの一部に当接し、前記鍵の前記シリンダに対する位置が一定となるように保持される
ことを特徴とする請求項１に記載のシリンダ錠。
【発明の詳細な説明】
【技術分野】
【０００１】
本発明は、シリンダ錠に関し、小型で安価、かつ耐久性の高いシリンダ錠であって、施錠または開錠できる鍵を変更することができるようにしたシリンダ錠に関する。
【背景技術】
【０００２】
遊技場の遊技機、いわゆる、パチンコ店のパチンコ台などには、第三者による、不正な操作を防止するためにシリンダ錠が用いられている。一方、遊技場側が遊技機を容易に管理することができるようにするため、１つの遊技場においては、１つの鍵で、それぞれの遊技機に設けられたシリンダ錠を施錠または開錠（解錠）できることが要求される。
【０００３】
シリンダ錠の鍵を紛失したり、不正に合鍵を作成された場合、または、不正に開錠される恐れが生じた場合、シリンダ錠を他の鍵で施錠または開錠できるものに取り替えなければならなかった。この場合、１つの鍵で施錠または開錠できるシリンダ錠を新たに多数準備すると、多額の費用がかかってしまう。また、シリンダ錠の取替え作業にも手間と時間がかかってしまっていた。
【０００４】
また、遊技機を新たに購入した場合、遊技機に設けられたシリンダ錠を、既に使用されている鍵で、施錠または開錠（解錠）できるようにすることが必要である。
【０００５】
このため、施錠または開錠できる鍵を自由に変更可能なシリンダ錠が提案されている。
【０００６】
図１乃至図１０を参照して、従来の施錠または開錠できる鍵を自由に変更可能なシリンダ錠１について説明する。図１乃至図１０は、従来のシリンダ錠１の縦断面図である。シリンダ錠１のケース１０は、略筒状に形成される。ケース１０の後端部（図１中の右側）に取り付けフランジ１１が設けられている。
【０００７】
取り付けフランジ１１に対して取り付け面がほぼ一致するように背面カバー１２が設けられている。ケース１０の図中の上側の外周には、カバー１３が設けられている。ケース１０の図中の下側の外周には、カバー１４が設けられている。
【０００８】
中間シリンダ２１は、ケース１０の内側に回動可能に設けられている。中間シリンダ２１の図中の右端の軸２１ａは、背面カバー１２を貫通して、ケース１０の外部に露出し、図示せぬ施錠カムが装着される。
【０００９】
中間シリンダ２１の内側には、さらに、内周シリンダ２２が回動可能に設けられている。内周シリンダ２２の、ケース１０の前端部（図１中の左側）には、鍵が挿入される鍵孔２２ａが設けられている。
【００１０】
中間シリンダ２１および内周シリンダ２２は、施錠または開錠されるとき、鍵とともに回動し、軸２１ａに取り付けられた施錠カムを回動させる。
【００１１】
取り付けフランジ１１には、さらに、リセットピン孔３０が設けられている。リセットピン孔３０には、図中の上下方向に移動可能に、リセットボタン３１が配置されている。リセットピン３２、補助ピン３３、ドライバピン３４、およびバネ３５は、ケース１０、中間シリンダ２１、および内周シリンダ２２の円筒状の孔に連通するように配置されている。リセットピン３２の上端は、リセットボタン３１の凸部３１ａに当接する。バネ３５は、リセットピン３２、補助ピン３３、およびドライバピン３４を図中の上方向に付勢する。
【００１２】
リセットボタン３１が図中の下方向に押圧されたとき、リセットボタン３１の凸部３１ａに当接するリセットピン３２は、図中の下方向に移動し、リセットピン３２によって押圧される、補助ピン３３およびドライバピン３４が、図中の下方向に移動する。
【００１３】
ドライバピン孔４１−１乃至４１−８のそれぞれは、ケース１０の図中の上下方向の円筒状の孔、中間シリンダ２１の図中の上下方向の円筒状の孔、および内周シリンダ２２の図中の上下方向の円筒状の孔からなる。ドライバピン孔４１−１乃至４１−８は、ケース１０の軸方向（鍵が挿入される方向と一致する方向）に配列されている。
【００１４】
一方、ドライバピン孔５１−１乃至５１−８のそれぞれは、ケース１０の図中の上下方向の円筒状の孔および中間シリンダ２１の図中の上下方向の円筒状の孔からなり、ドライバピン孔４１−１乃至４１−８のそれぞれに対向する位置であって、ケース１０の軸方向に配列されている。
【００１５】
カバー１３は、ドライバピン孔４１−１乃至４１−８のケース１０側の開口部を被覆し、カバー１４は、ドライバピン孔５１−１乃至５１−８のケース１０側の開口部を被覆する。
【００１６】
図１で示される状態において、ドライバピン孔５１−１乃至５１−８の他方の開口部は、内周シリンダ２２によって閉じられている。
【００１７】
ドライバピン孔４１−１には、図中の上側から順に、バネ６０、ドライバピン６１、補助ピン６２、およびタンブラ６３が挿入され、連通し、ドライバピン６１、補助ピン６２、およびタンブラ６３は、バネ６０によって図１の下方向に付勢されている。内周シリンダ２２の円筒状の孔は、内側が細く形成され、タンブラ６３は、先端側（図１中の下側）が細く、ドライバピン６１と当接する側が太く形成されている。従って、タンブラ６３は、内周シリンダ２２の円筒状の孔の細くなった部分に当接して、位置決めされる。
【００１８】
また、ドライバピン孔４１−１に対向する位置に配置されているドライバピン孔５１−１には、図中の上から順に、５つの可変ピン６４、ドライバピン６５、およびバネ６６が挿入され、連通し、５つの可変ピン６４、ドライバピン６５は、バネ６６によって図１の上方向に付勢されている。
【００１９】
ドライバピン孔４１−２乃至４１−４、およびドライバピン孔５１−２乃至５１−４には、同様の各種ピンおよびバネが挿入されている。
【００２０】
重複して説明するが、例えば、ドライバピン孔４１−５には、バネ７０、ドライバピン７１、補助ピン７２、タンブラ７３、および２つの可変ピン７４ａが挿入され、連通し、ドライバピン７１、補助ピン７２、タンブラ７３、および２つの可変ピン７４ａは、バネ７０によって図１の下方向に付勢されている。
【００２１】
なお、２つの可変ピン７４ａは、補助ピン７２およびタンブラ７３の間に配置される。
【００２２】
ドライバピン孔５１−５には、３つの可変ピン７４ｂ、ドライバピン７５、およびバネ７６が挿入され、連通し、３つの可変ピン７４ｂおよびドライバピン７５は、バネ７６によって図１の上方向に付勢されている。
【００２３】
補助ピン６２（補助ピン７２を含む）の長さは、中間シリンダ２１の筒状部の肉厚と同
等とされている。
【００２４】
図２は、シリンダ錠１に正規の鍵Ｋ1を矢印８０の方向に挿入した状態を表している。鍵Ｋ1には、シリンダ錠１における、個々のタンブラ６３（タンブラ７３を含む）の図中の上下方向の位置を決める、位置決め面８１−１乃至８１−８が設けられている。
【００２５】
以下、１つの鍵によって決まる、タンブラの位置の組み合わせを、その鍵のキーコードとも称する。また、開錠または施錠を許可するタンブラの位置の組み合わせを、その錠のキーコードとも称する。
【００２６】
鍵Ｋ1が挿入されると、ドライバピン孔４１−１乃至４１−８に挿入されているタンブラ６３（タンブラ７３を含む）が、鍵Ｋ1の位置決め面８１−１乃至８１−８（図２では８１−４乃至８１−６の符号を省略している）に当接することにより、各タンブラ６３（タンブラ７３を含む）は図２の上方向に移動する。
【００２７】
タンブラ６３の図中の上方向の移動によって、ドライバピン孔４１−１乃至４１−８において、ケース１０の内周面、および中間シリンダ２１の外周面と、全ての補助ピン６２の上側の面が一致するとともに、補助ピン３３の上側の面とが一致して、ラインＬ1が形成される。ドライバピン孔５１−１乃至５１−８において、ケース１０の内周面、および中間シリンダ２１の外周面と、可変ピン６４の下側の面が一致する。
【００２８】
この場合、中間シリンダ２１の内周面と、全ての補助ピン６２の下側の面が一致する。
【００２９】
一方、中間シリンダ２１の内周面と、ドライバピン３４の上面とは一致しない。
【００３０】
従って、ケース１０に対して、中間シリンダ２１および内周シリンダ２２が、一体に、回動可能になる。
【００３１】
図３で示されるように、矢印９１の方向にリセットボタン３１を押圧すると、リセットピン３２、補助ピン３３、およびドライバピン３４が図中の下側に移動して、ケース１０の内周面、および中間シリンダ２１の外周面と、補助ピン３３の上側の面とが一致せず、中間シリンダ２１の内周面と、全ての補助ピン６２の下側の面とが一致すると共に、ドライバピン３４の上側の面が一致することによりラインＬ2が形成される。
【００３２】
その結果、ケース１０に対して、中間シリンダ２１は固定されると共に、中間シリンダ２１に対して、内周シリンダ２２は回動可能になる。
【００３３】
従って、図４で示されるように矢印９２の方向（時計回り、または反時計回りの方向）に鍵Ｋ1を１８０°回動させることで内周シリンダ２２だけが１８０°回動し、図４に示す状態になる（ケース１０および中間シリンダ２１に対して、内周シリンダ２２が反転した状態になる）。
【００３４】
図４で示される状態において、ドライバピン孔５１−１乃至５１−８のそれぞれには、図中の上から順に、タンブラ６３、５つの可変ピン６４、ドライバピン６５、およびバネ６６が配置されることになる。
【００３５】
図５は、鍵Ｋ1を矢印１０１の方向に引き抜く様子を表している。
【００３６】
図６は、鍵Ｋ1を引き抜いたシリンダ錠１の状態を表している。すなわち、図６で示されるように鍵Ｋ1を引き抜くとドライバピン孔５１−１乃至５１−８において、バネ６６の付勢力により、タンブラ６３、５つの可変ピン６４、およびドライバピン６５は、図中の上側に移動し、タンブラ６３が、内周シリンダ２２の円筒状の孔の細くなった部分に当接することによって、位置決めされる。すなわち、タンブラ６３、５つの可変ピン６４、およびドライバピン６５は、ドライバピン孔５１−１乃至５１−８のそれぞれに対して、同じ位置に配置されることになる。
【００３７】
図７で示されるように、図６で示される状態のシリンダ錠１のキーコードを変更するため、新たな鍵Ｋ2が、矢印１１１の方向に移動されシリンダ錠１に挿入される。これにより、各タンブラ６３は、鍵Ｋ2の位置決め面１２１−１乃至１２１−８（図７では、位置決め面１２１−３乃至１２１−６の符号を省略している）のいずれかに当接することによって、内周シリンダ２２に対する、各タンブラ６３の位置が変化する。
【００３８】
この状態で、図８で示されるように鍵Ｋ2を矢印１３１の方向（時計回り、または反時計回りの方向）に１８０°回動させることで、ケース１０および中間シリンダ２１に対して、内周シリンダ２２のみが１８０°回動し、反転する。このとき、５つの可変ピン６４のうち、図７のラインＬ2に対して、内側に位置している（内周シリンダ２２側に位置している）可変ピン６４だけが内周シリンダ２２とともに、回動し、図８に示す状態に移行する。
【００３９】
さらに、図８における、矢印１３２で示される方向にリセットボタン３１がバネ３５の付勢力によって戻されることで、ラインＬ2とドライバピン３４の上面とが一致しなくなるので、中間シリンダ２１と内周シリンダ２２とが固定される。
【００４０】
図９は、矢印１４１で示される方向に鍵Ｋ2が引き抜かれる、シリンダ錠１を表している。
【００４１】
図１０は、鍵Ｋ2が引き抜かれ、キーコードが変更されたシリンダ錠１を表している。
【００４２】
図１で示される、ドライバピン孔４１−１乃至４１−８のそれぞれにおける可変ピンの数と、図１０で示される、ドライバピン孔４１−１乃至４１−８のそれぞれにおける可変ピンの数とが異なり、シリンダ錠１のキーコードが変更されることになる。
【００４３】
以上にようにして、図１０に示されるように従来のシリンダ錠１のキーコードは変更されていた。
【００４４】
また、筒状に形成され内周面に傾斜面で接続する係合凹部が形成されるケースと、ケースに回動可能に挿入され、前面に開口する鍵孔と、鍵孔に交叉するタンブラ孔と、タンブラ孔の一方の内壁面を貫通するサイドバー収容孔と、タンブラ孔の他方の内壁面を貫通するレトラクタ収容孔と、後部に形成される小径部に設けられるリセットピン挿入孔とを有するプラグと、ケースと小径部との間に回動可能に挿入される筒部にリセットピン挿入孔と重なる切欠部が形成され、後端部に形成される軸部に施錠カムを有するジョイントカムと、リセットピン挿入孔に挿入され、ジョイントカムの切欠部に突出する方向に付勢され、外部から操作可能なリセットボタンに当接するリセットピンと、レトラクタ収容孔に挿入され、端部に形成された係合突起が係合凹部に係合するレトラクタと、サイドバー収容孔に挿入され、先端部が係合凹部に係合する方向にばねにより付勢されるサイドバーと、タンブラ孔に挿入され、一方にキーに係合するキー係合溝と、鋸歯状の噛合部が設けられ、他方の面がレトラクタに滑り接触する可変タンブラと、タンブラ孔に挿入され、一方にサイドバー係合溝が設けられ、他方に噛合部に係脱する被噛合部が設けられるタンブラプレートとにより構成されるシリンダ錠もある（例えば、特許文献１参照）。このシリンダ錠においては、キーコード変更時に、初期設定キーによりプラグのみを１８０度回動した際に、レトラクタの係合突起がケースの係合凹部に一致し、レトラクタはばねにより係合突起が係合凹部に係入する方向に移動する。
【特許文献１】特開平７−２６９１８９号公報
【００４５】
このシンリンダ錠においては、図１１に示されるように、鍵１６５の形状と可変タンブラ１６２の形状が一致すると、可変タンブラ１６２が図中右側に移動し、可変タンブラ１６２と当接しているレトラクタ１６４も図中右側に移動することにより、レトラクタ１６４の突部１６４ａとケース１６１の凹部１６１ａの係合が解除され、ケース１６１に対して、シリンダの内周部分が回動可能な状態となる。
【発明の開示】
【発明が解決しようとする課題】
【００４６】
しかしながら、図１１に示されるようなシリンダにおいては、シリンダの内周部分が回動する場合、可変タンブラ１６２の先端の鋸歯状の噛合部１６２ａが、タンブラプレート１６３の先端の被噛合部１６３ａと噛合し、シリンダの内周部分が回動するように構成されている。このため、噛合部１６２ａおよび被噛合部１６３ａに回動するときの負荷がかかり、このシリンダを長期間使用すると、正常に開施錠動できなくなる恐れがあった。
【００４７】
また、従来のキーコードの変更可能なシリンダ錠では、シリンダ錠を構成する構成部品の数が多く、そのためコストが高くなってしまう課題があった。
【００４８】
さらに、従来のシリンダ錠１では、ケース１０が径方向に突出するため、大型化してしまい、大きな取り付けスペースが必要になってしまう課題があった。
【００４９】
また、シリンダ錠を、従来の部品点数を減らす構成としても、広く流通しているシリンダ錠の鍵であって、一方の面の位置でキーコードが特定されるもの（例えば、すり鉢形状の溝（キーコード）が設けられている鍵）では、シリンダ錠を施錠若しくは開錠し、またはシリンダ錠のキーコードを変更することができないという課題があった。
【００５０】
本発明は、このような状況に鑑みてなされたものであり、小型で安価、かつ耐久性の高いシリンダ錠であって、キーコードの変更が可能であり、一方の面の位置でキーコードが特定される鍵を使用することができるシリンダ錠を提供することができるようにするものである。
【課題を解決するための手段】
【００５１】
本発明によるシリンダ錠は、シリンダに挿入された鍵のキーコードに対応する面に当接することによって、キーコードに応じて面の位置が変化する方向である第１の方向の第１の位置に移動させられる開閉プレートと、第１の方向に直交し、鍵の挿入の方向と平行な第２の方向の位置が第２の位置または第３の位置に移動可能に設けられたタンブラプレートと、タンブラプレートを、シリンダの回動位置に応じて、第２の方向の第２の位置または第３の位置に移動させるサイドバーとを含み、タンブラプレートは、第２の方向の第２の位置に移動している場合、開閉プレートに設けられた第１の方向に並ぶ複数の位置決め部分のうちの、１つの位置決め部分と、自分の一部とが係合することによって、係合している位置決め部分の位置と第１の位置とによって定まる第１の方向の第４の位置に移動させられ、第１の方向の第４の位置によって、サイドバーの第１の方向および第２の方向に直交する第３の方向の移動を規制することにより施錠するか、または開錠する動作を決定し、第２の方向の第３の位置に移動している場合、自分の一部と、開閉プレートに設けられた位置決め部分との係合を解除させられ、開閉プレートは、鍵が挿入されたとき、挿入された鍵のキーコードに対応する面に当接することによって、挿入されている鍵のキーコードに対応する面で定まる位置であって、複数の位置決め部分のうちの、１つの位置決め部分と自分の一部とが係合することができる第１の方向の位置に移動させられることを特徴とする。
【００５２】
キーコードとは、タンブラプレートの位置の組み合わせである。また、鍵は、いわゆる両面鍵であっても片面鍵であってもよい。
【００５３】
本発明によるシリンダ錠においては、シリンダに挿入された鍵のキーコードに対応する面に当接することによって、開閉プレートがキーコードに応じて面の位置が変化する方向である第１の方向の第１の位置に移動させられ、タンブラプレートが、第１の方向に直交し、鍵の挿入の方向と平行な第２の方向の位置が第２の位置または第３の位置に移動可能に設けられ、サイドバーによりタンブラプレートが、シリンダの回動位置に応じて、第２の方向の第２の位置または第３の位置に移動され、タンブラプレートは、第２の方向の第２の位置に移動している場合、開閉プレートに設けられた第１の方向に並ぶ複数の位置決め部分のうちの、１つの位置決め部分と、自分の一部とが係合することによって、係合している位置決め部分の位置と第１の位置とによって定まる第１の方向の第４の位置に移動させられ、第１の方向の第４の位置によって、サイドバーの第１の方向および第２の方向に直交する第３の方向の移動を規制することにより施錠するか、または開錠する動作を決定し、第２の方向の第３の位置に移動している場合、自分の一部と、開閉プレートに設けられた位置決め部分との係合を解除させられ、開閉プレートは、鍵が挿入されたとき、挿入された鍵のキーコードに対応する面に当接することによって、挿入されている鍵のキーコードに対応する面で定まる位置であって、複数の位置決め部分のうちの、１つの位置決め部分と自分の一部とが係合することができる第１の方向の位置に移動させられる。
【００５４】
したがって、シリンダ錠の構成部品を少なくすることができる。また、シリンダ錠を小型化することができる。さらに、シリンダ錠を低コストで形成することができる。
【００５５】
前記開閉プレートとタンブラプレートとは、穴とピンとにより係合するようにすることができる。
【００５６】
穴とピンとが係合することによりタンブラプレートが、開閉プレートの移動に伴って、第１の方向に移動される。
【００５７】
したがって、耐久性の高いシリンダ錠を低コストで形成することができる
【００５８】
前記開閉プレートが鍵のキーコードに対応する面に当接するように、開閉プレートを付勢するバネをさらに含むようにすることができる。
【００５９】
バネによって、開閉プレートが鍵のキーコードに対応する面に当接されるように、付勢される。
【００６０】
バネで構成される尖端部を有し、シリンダに鍵が完全に挿入されていない場合、尖端部がシリンダの鍵穴に掛止し、シリンダに鍵が完全に挿入された場合、鍵により尖端部が押圧されることにより、シリンダの鍵穴との掛止が解除される掛止手段をさらに含むようにすることができる。
【００６１】
バネで構成される尖端部を有する掛止手段によって、シリンダに鍵が完全に挿入されていない場合、掛止手段の尖端部が鍵穴に掛止され、シリンダに鍵が完全に挿入された場合、鍵の押圧により、尖端部と鍵穴の掛止が解除される。
【００６２】
したがって、鍵がシリンダに完全に挿入されないことによって誤ったキーコードが設定されることを防ぐことができる。
【００６３】
前記尖端部を覆うボタンをさらに備え、シリンダに鍵が完全に挿入されていない場合、ボタンがシリンダの鍵穴に掛止し、シリンダに鍵が完全に挿入された場合、鍵によりボタンが押圧されることにより、シリンダの鍵穴との掛止が解除されるようにすることができる。
【００６４】
したがって、鍵がシリンダに完全に挿入されたことを、より正確に検知することができる。
【００６５】
前記シリンダに鍵が完全に挿入された場合、鍵の尖端部がシリンダの一部に当接し、鍵のシリンダに対する位置が一定となるように保持されるようにすることができる。
【００６６】
したがって、開施錠の動作の安定性を向上させることができる。
【発明の効果】
【００６７】
本発明によれば、シリンダ錠を提供することができる。特に、小型で安価、かつ耐久性の高いシリンダ錠であって、キーコードの変更が可能であり、一方の面の位置でキーコードが特定される鍵を使用することができるシリンダ錠を提供することができる。
【発明を実施するための最良の形態】
【００６８】
以下に、本発明の実施の形態について図面を参照して説明する。
【００６９】
図１２および図１３は、本発明を適用したシリンダ錠１９１の外観の例を示している。図１２は、シリンダ錠１９１の前端部側の外観の斜視図である。図１３は、シリンダ錠１９１の後端部側の外観の斜視図である。
【００７０】
シリンダ錠１９１の、外周シリンダ２０１の内側には、正規の鍵が挿入された場合に、鍵と共に回動する内周シリンダ２０３が設けられている。内周シリンダ２０３が外周シリンダ２０１に配置された状態において、内周シリンダ２０３に設けられた、鍵が挿入される鍵穴２０３ａは、外周シリンダ２０１から外部に露出する。
【００７１】
また、外周シリンダ２０１の後部には、シリンダ錠１９１を固定するための取り付けフランジ２０１aが設けられている。取り付けフランジ２０１ａの上側および下側にそれぞれ、取り付け用のネジなどを貫通させる取り付け用孔２０２−１および２０２−２が設けられている。
【００７２】
外周シリンダ２０１の背面には、背面カバー２１３が嵌着されている。リセットボタン２１１を押圧できるように、外周シリンダ２０１の背面からリセットボタン２１１、およびジョイントカム２１２の一部が露出するように、リセットボタン２１１、およびジョイントカム２１２が設けられている。ジョイントカム２１２は、背面カバー２１３のジョイントカム用孔２１３ａを貫通している。また、ジョイントカム２１２には、図示せぬ施錠カムが取り付けられる軸部２１２ａ、および凸部２１２ｂが設けられている。すなわち、外周シリンダ２０１は、シリンダ錠１９１において、内周シリンダ２０３、および各構成部品を保持するケースとなる。
【００７３】
図１４は、シリンダ錠１９１を、鍵穴２０３ａが正面となるような位置からみた外観を表す図であり、図１５は、図１４に示されるシリンダ錠１９１を、側面からみた外観を表す図である。
【００７４】
次に、図１６乃至図１８を参照して、シリンダ錠１９１の構造を説明する。図１６は、シリンダ錠１９１の構成を示す斜視図である。図１７は、シリンダ錠１９１の縦断面図である。図１８は、図１７のＡ−Ａ線におけるシリンダ錠１９１の縦断面図である。
【００７５】
開閉プレート２３１−１乃至２３１−８のそれぞれは、その内周シリンダ２０３に対する位置によって、内周シリンダ２０３の回動を可能にするか、または回動を抑制するように動作する。開閉プレート２３１−１乃至２３１−８はそれぞれ、後述する係合穴によってタンブラプレート２３３−１乃至２３３−８と係合する。
【００７６】
開閉プレート用バネ２３２−１乃至２３２−８のそれぞれは、一方の端部が開閉プレート２３１−１乃至２３１−８に当接し、他方の端部がバネカバー２３５に当接するように設けられている。そして、開閉プレート２３１−１乃至２３１−８を、シリンダ錠１９１に挿入された鍵の位置決め面に当接するように、付勢する。図１７に示されるように、開閉プレート２３１−１乃至２３１−８および開閉プレート用バネ２３２−１乃至２３２−８は、それぞれ、内周シリンダ２０３の開閉プレート用孔２８１ａ乃至２８１ｈのそれぞれに挿入される。
【００７７】
バネカバー２３５の孔２３５ａは、内周シリンダ２０３の凸部２９１ａに嵌合され、バネカバー２３５の孔２３５ｂは、内周シリンダ２０３の凸部２９１ｂに嵌合されることにより、バネカバー２３５は、内周シリンダ２０３に固定される（図１７）。
【００７８】
サイドバー２５１は、サイドバー用バネ２５２−１および２５２−２によって、外周シリンダ２０１の内面に押圧される。サイドバー２５１には、凸部２５１ａおよび傾斜面を有する凸部２５１ｂ（以下、単に凸部２５１ｂと称する）が設けられている。サイドバー２５１は、外周シリンダ２０１の凹部２０１ｄと噛み合うか、またはその噛み合いが外れることにより、外周シリンダ２０１に対する内周シリンダ２０３の回動を規制する。
【００７９】
図１８に示されるように、サイドバー２５１は、サイドバー用孔２７４に沿って、図中左右の方向に移動可能な構造とされている。シリンダ錠１９１が開錠可能となる状態においては、サイドバー２５１の凸部２５１ａは、タンブラプレート２３３−４の凹部２３３−４ａに嵌合することにより、外周シリンダ２０１の傾斜面を有する凹部２０１ｄ（以下、単に凹部２０１ｄと称する）とサイドバー２５１の凸部２５１ｂとの嵌合が解除され、内周シリンダ２０３は回動可能となる。
【００８０】
一方、シリンダ錠１９１が施錠された状態においては、サイドバー２５１の凸部２５１ａは、２３３−１乃至２３３−８いずれかの、凹部２３３−１ａ乃至２３３−８ａの以外の側面（図１５中の左側の側面）に当接することにより、外周シリンダ２０１の凹部２０１ｄとサイドバー２５１の凸部２５１ｂとの嵌合は解除されず、内周シリンダ２０３は回動不可能となる。
【００８１】
なお、サイドバー２５１は、サイドバー用バネ２５２−１および２５２−２（図１６）により、通常、サイドバー２５１の凸部２５１ｂが、外周シリンダ２０１の凹部２０１ｄと嵌合する方向、すなわち図中左方向に付勢されている。
【００８２】
図１７に示されるように、リセットボタン２１１は、図中の上下方向に移動可能に設けられている。リセットボタン２１１の凸部２１１ａが、ジョイントブロック２４２に当接しており、ジョイントブロック２４２に当接し、ジョイントブロック２４２、およびリセットボタン２１１を図中の上側に付勢するリセット用バネ２４３が、内周シリンダ２０３の孔２８１ｊに配置されている。なお、リセットボタンの詳細については、図４１を参照して後述する。
【００８３】
完全挿入確認バネ３１１は、その尖端部３１１ａがバネとなっており、尖端部３１１ａが内周シリンダ２０３の鍵穴２０３ａに係合する形状とされ、鍵が完全に挿入されていない場合、尖端部３１１ａが鍵穴２０３ａを掛止し、鍵が完全に挿入された場合、尖端部３１１ａと鍵穴２０３ａの掛止が解除されるように装着される。なお、完全挿入確認バネ３１１の詳細は図２４乃至図３３を参照して後述する。
【００８４】
このように、正規の鍵が挿入された場合、ジョイントカム２１２と共に内周シリンダ２０３の回動が可能となり、正規の鍵が挿入されていない場合、内周シリンダ２０３の回動ができないように、シリンダ錠１９１は構成されている。
【００８５】
また、正規の鍵が挿入され、リセットボタン２１１が押圧された場合、ジョイントカム２１２が外周シリンダ２０１に対して固定されたままで、内周シリンダ２０３の回動が可能になる。
【００８６】
次に、図１９Ａ、図１９Ｂ、図２０Ａ、および図２０Ｂを参照して、開閉プレート２３１−４とタンブラプレート２３３−４の関係について詳細に説明する。上述したように、開閉プレート２３１−４とタンブラプレート２３３−４は係合する。このため、開閉プレート２３１−４の図中右側の上部には、３つの穴により構成される係合穴２３１−４ａが設けられており、図中右側の下部には、やはり３つの穴で構成される係合穴２３１−４ｂが設けられている。一方、タンブラプレート２３３−４には、係合穴２３１−４ａのいずれか１つの穴に係合する径をもつ係合ピン２３３−４ｂ、および係合穴２３１−４ｂのいずれか１つの穴に係合する径をもつ係合ピン２３３−４ｃが設けられている。
【００８７】
従って、係合ピン２３３−４ｂおよび係合ピン２３３−４ｃが、それぞれ係合穴２３１−４ａおよび係合穴２３１−４ｂのいずれか１つの穴に係合することにより、開閉プレート２３１−４とタンブラプレート２３３−４が係合する。そして、開閉プレート２３１−４とタンブラプレート２３３−４が係合することにより、開閉プレート２３１−４とタンブラプレート２３３−４の図中上下方向の位置が決まる。
【００８８】
図１９Ｂは、このように構成される開閉プレート２３１−４とタンブラプレート２３３−４を備えるシリンダ錠１９１の断面図である。
【００８９】
図１９Ａにおいては、係合穴２３１−４ａおよび係合穴２３１−４ｂが、それぞれ独立した３つの穴で構成されるようにしたが、実際には、係合穴２３１−４ａおよび係合穴２３１−４ｂを、それぞれ、図２０Ａに示されるように構成してもよい。
【００９０】
図２０Ａにおいて、係合穴２３１−４ａおよび係合穴２３１−４ｂは、それぞれ独立した３つの穴ではなく、第１番目（図中最上部）の穴の下部と第２番目（図中中間）の穴の上部が当接し、また、第２番目（図中中間）の穴の下部と、第３番目（図中最下部）の穴の上部が当接するように構成されている。
【００９１】
すなわち、図２０Ａの係合穴２３１−４ａおよび係合穴２３１−４ｂは、図１９Ａに示される、それぞれの３つの穴を、図中縦方向に近接させたものであり、このように係合穴２３１−４ａおよび係合穴２３１−４ｂを構成することにより、開閉プレート２３１−４を、図１９Ａの場合と比較して、さらに小型化することができる。また、係合ピン２３３−４ｂおよび係合ピン２３３−４ｃは、やはり、それぞれ係合穴２３１−４ａおよび係合穴２３１−４ｂのいずれか１つの穴に係合するので、開閉プレート２３１−４とタンブラプレート２３３−４の図中上下方向の位置を決めることができる。
【００９２】
ここでは、開閉プレート２３１−４およびタンブラプレート２３３−４を例として説明したが、開閉プレート２３１−１乃至２３１−３、および開閉プレート２３１−５乃至２３１−８、並びにタンブラプレート２３３−１乃至２３３−３、およびタンブラプレート２３３−５乃至２３３−８も、それぞれ開閉プレート２３１−４およびタンブラプレート２３３−４と同様に構成されている。
【００９３】
図２０Ｂは、このように構成される開閉プレート２３１−４とタンブラプレート２３３−４を用いて構成される、シリンダ錠１９１の断面図である。
【００９４】
同図に示されるように、上述した係合穴２３１−４ａおよび係合穴２３１−４ｂ、並びに係合ピン２３３−４ｂおよび係合ピン２３３−４ｃによって、開閉プレート２３１−４とタンブラプレート２３３−４が係合しており、タンブラプレート２３３−４の凹部２３３−４ａの図中上下方向の高さが、サイドバー２５１の凸部２５１ａの図中上下方向の高さと一致している。これは、鍵穴２０３ａに挿入された鍵の形状に従って、開閉プレート２３１−４が図中上下方向に移動し、開閉プレート２３１−４に係合しているタンブラプレート２３３−４が、開閉プレート２３１−４の移動に伴って、図中上下方向に移動した結果であり、鍵の形状によっては、凹部２３３−４ａの図中上下方向の高さが、凸部２５１ａの図中上下方向の高さと一致しない場合もある（鍵の形状については、図２２を参照して後述する）。
【００９５】
上述したように、係合ピン２３３−４ｂおよび係合ピン２３３−４ｃが、それぞれ係合穴２３１−４ａおよび係合穴２３１−４ｂのいずれか１つの穴に係合することにより、開閉プレート２３１−４とタンブラプレート２３３−４が係合し、開閉プレート２３１−４とタンブラプレート２３３−４の図中上下方向の位置が決まる。従って、鍵を挿入したとき、凹部２３３−４ａの図中上下方向の高さを、凸部２５１ａの図中上下方向の高さと一致させるためには、鍵の形状に合わせて、係合ピン２３３−４ｂおよび係合ピン２３３−４ｃを、それぞれ係合穴２３１−４ａおよび係合穴２３１−４ｂのどの穴に係合させるかを決定する必要がある（係合ピン２３３−１ｂ乃至２３３−８ｂおよび係合ピン２３３−１ｃ乃至２３３−８ｃ、並びに係合穴２３１−１ａ乃至２３１−８ａおよび係合穴２３１−１ｂ乃至２３１−８ｂも、全て同様）。
【００９６】
すなわち、係合ピン２３３−１ｂ乃至２３３−８ｂおよび係合ピン２３３−１ｃ乃至２３３−８ｃを、それぞれ係合穴２３１−１ａ乃至２３１−８ａおよび係合穴２３１−１ｂ乃至２３１−８ｂのどの穴に係合させるかが、シリンダ錠１９１を開施錠する鍵を特定する、キーコードとなる。
【００９７】
図２１を参照して、開閉プレート２３１−４とタンブラプレート２３３−４に加えて、サイドバー２５１の関係を詳細に説明する。サイドバー２５１は、タンブラプレート２３３−４が嵌合するタンブラプレート用孔２５１ｃを有しており、タンブラプレート２３３−４は、タンブラプレート用孔２５１ｃに嵌合し、タンブラプレートの面２３３−４ｄが、タンブラプレート用孔２５１ｃに隣接するサイドバー２５１の凸部２５１ｄの図中左側の面と当接するように構成されている。そして、サイドバー２５１が、矢印４５２の方向に移動することにより、タンブラプレート２３３−４の凹部２３３−４ａと、サイドバー２５１のタンブラプレート用孔２５１ｃの中に設けられた凸部２５１ａが嵌合する。
【００９８】
すなわち、サイドバー２５１は、矢印４５２の方向に移動することができるように構成されており、その場合、タンブラプレート２３３−４の位置は変化しない。また、サイドバー２５１が矢印４５１の方向にも移動することができるように構成されており、その場合、タンブラプレート用孔２５１ｃに嵌合しているタンブラプレート２３３−４もサイドバー２５１の移動に伴って、矢印４５１の方向に移動する。
【００９９】
換言すれば、タンブラプレート２３３−４（タンブラプレート２３３−１乃至２３３−８）は、開閉プレート２３１−４（開閉プレート２３１−１乃至２３１−８）の移動に伴って図中上下方向に移動可能であり、サイドバー２５１の移動に伴って、矢印４５１の方向、すなわち、シリンダ錠１９１の鍵の挿入方向にも移動可能となるように構成されている。
【０１００】
上述したように、係合ピン２３３−４ｂおよび係合ピン２３３−４ｃがそれぞれ係合穴２３１−４ａおよび係合穴２３１−４ｂのいずれか１つの穴に係合するので、開閉プレート２３１−４の面２３１−４ｄとタンブラプレート２３３−４の面２３３−４ｄが当接するように、開閉プレート２３１−４とタンブラプレート２３３−４は係合している。
【０１０１】
サイドバー２５１が矢印４５１の方向に移動する場合、タンブラプレート用孔２５１ｃに嵌合しているタンブラプレート２３３−４は、サイドバー２５１の移動に伴って、矢印４５１の方向に移動するが、開閉プレート２３１−４は、図１７を参照して上述したように、内周シリンダ２０３の開閉プレート用孔２８１ｄに挿入されて固定されているため移動しない。このため、サイドバー２５１が矢印４５１の方向に移動すると、タンブラプレート２３３−４の面２３３−４ｄは、開閉プレート２３１−４の面２３１−４ｄから離れ、その結果、係合ピン２３３−４ｂおよび係合ピン２３３−４ｃと、係合穴２３１−４ａおよび係合穴２３１−４ｂとの係合が解除される。
【０１０２】
このように、係合ピン２３３−４ｂおよび係合ピン２３３−４ｃと、係合穴２３１−４ａおよび係合穴２３１−４ｂとの係合を解除する（係合ピン２３３−１ｂ乃至２３３−８ｂおよび係合ピン２３３−１ｃ乃至２３３−８ｃ、並びに係合穴２３１−１ａ乃至２３１−８ａおよび係合穴２３１−１ｂ乃至２３１−８ｂも、全て同様）ことで、シリンダ錠１９１のキーコードをリセットすることができる。
【０１０３】
なお、同図に示されているように、実際には、係合ピン２３３−４ｂおよび係合ピン２３３−４ｃは、それぞれその尖端部分が序々に細くなるような傾斜を有する構成とされる。また、係合穴２３１−４ａおよび係合穴２３１−４ｂは、それぞれその上部（面２３１−４ｄ側）が序々に広くなるような傾斜を有する構成とされる。このように構成することにより、係合ピン２３３−４ｂおよび係合ピン２３３−４ｃの位置が、それぞれ係合穴２３１−４ａおよび係合穴２３１−４ｂのいずれか１つの穴の位置に、正確に一致していなくても、係合ピン２３３−４ｂおよび係合ピン２３３−４ｃが、それぞれ係合穴２３１−４ａおよび係合穴２３１−４ｂのいずれか１つの穴に、よりスムーズに係合するようにできる。
【０１０４】
このように、本発明のシリンダ錠１９１においては、係合ピン２３３−１ｂ乃至２３３−８ｂおよび係合ピン２３３−１ｃ乃至２３３−８ｃを、それぞれ係合穴２３１−１ａ乃至２３１−８ａおよび係合穴２３１−１ｂ乃至２３１−８ｂと係合させたり、または係合を解除させることにより、簡単にキーコードを設定、またはリセットできる。
【０１０５】
次に図２２を参照して、シリンダ錠１９１に挿入される鍵Ｋ3の例を説明する。図２２は、鍵Ｋ3の外観の例を示す斜視図である。鍵Ｋ3は、ユーザが鍵Ｋ3を回動させる場合に、保持する保持部４１１、およびシリンダ錠１９１に挿入する挿入部４１２により構成されている。挿入部４１２には、３段階の深さ（高さ）を有するすり鉢形状の孔として位置決め面４２１乃至４２８が設けられている。位置決め面４２１乃至４２８の３段階の深さ（高さ）の組み合わせにより、鍵Ｋ3のキーコードが特定される。
【０１０６】
なお、位置決め面４２１乃至４２８は、シリンダ錠１９１に挿入された場合、内周シリンダ２０３に対する、タンブラプレート２３３−１乃至２３３−８のそれぞれの位置を決めることができれば足り、すり鉢形状に限られない。
【０１０７】
図２３を参照して、正規の鍵Ｋ3が挿入されたシリンダ錠１９１について説明する。図２３は、鍵Ｋ3が挿入されたシリンダ錠１９１の縦断面図である。同図に示されるように、シリンダ錠１９１に鍵Ｋ3が挿入されると、開閉プレート２３１−１乃至２３１−８のそれぞれは、位置決め面４２１乃至４２８のそれぞれに当接することによって、３段階の位置（高さ（図２３中の縦方向））のうちの１つの位置に移動する。
【０１０８】
また、同図においては、完全挿入確認バネ３１１の記載が省略されているが、シリンダ錠１９１に鍵Ｋ3が完全に挿入されると、鍵Ｋ3の挿入部４１２の尖端部が完全挿入確認バネ３１１の尖端部３１１ａに当接する。
【０１０９】
図２４乃至図２８を参照して、完全挿入確認バネ３１１と鍵Ｋ3の関係について詳細に説明する。図２４は、完全挿入確認バネ３１１の、内周シリンダ２０３またはジョイントカム２１２に対する取り付け位置を表す斜視図である。同図に示されるように、完全挿入確認バネ３１１は、内周シリンダ２０３とジョイントカム２１２の間に挿入される。上述したように、完全挿入確認バネ３１１は、その尖端部３１１ａがバネとなっており、通常（鍵Ｋ3が完全に挿入されていない場合）、尖端部３１１ａが内周シリンダ２０３の鍵穴２０３ａに入り込むように、バネ（尖端部３１１ａ自身）により付勢されている。
【０１１０】
図２５は、完全挿入確認バネ３１１が装着されたシリンダ錠１９１の縦断面図である。なお、同図は、図２３と同様の縦断面図であるが、図２５において、内周シリンダ２０３は、図２３の状態から１８０°回転した状態とされており、これに伴って、開閉プレート２３１−１乃至２３１−８などが図中下側に表示されている。
【０１１１】
図２６は、図２５における完全挿入確認バネ３１１の周辺（図中円で囲まれた部分）を拡大した図である。同図に示されるように、完全挿入確認バネ３１１が、内周シリンダ２０３とジョイントカム２１２の間に装着されており、尖端部３１１ａは、内周シリンダ２０３の鍵穴２０３ａに係合するため、バネにより付勢されて内周シリンダ２０３の内部（図中左側）に突出している。この状態では、内周シリンダ２０３は、完全挿入確認バネ３１１により掛止（ロック）されるため、ジョイントカム２１２に対して相対的に回転できない。
【０１１２】
図２７は、図２５のシリンダ錠１９１に鍵Ｋ3が挿入された状態を表す縦断面図である。同図に示されるように鍵Ｋ3の挿入部４１２が挿入されると、挿入部４１２の尖端部が完全挿入確認バネ３１１の尖端部３１１ａと当接する。
【０１１３】
図２８は、図２７における完全挿入確認バネ３１１の周辺（図中円で囲まれた部分）を拡大した図である。同図に示されるように、完全挿入確認バネ３１１の尖端部３１１ａは、挿入部４１２の尖端部によって図中右方向に押圧されて、内周シリンダ２０３の内部に突出しない状態になっている。すなわち、尖端部３１１ａと、内周シリンダ２０３の鍵穴２０３ａのロックが解除された状態となっている。この状態であれば、内周シリンダ２０３は、完全挿入確認バネ３１１によるロックが解除されるため、ジョイントカム２１２に対して相対的に回転できる。
【０１１４】
また、上述したように、完全挿入確認バネ３１１の尖端部３１１ａは、図中左から挿入される鍵の挿入部４１２の尖端部により、図中右方向に押圧されるようになっている。従って、シリンダ錠１９１に対して、鍵４１２を完全に（図中右方向一杯に）挿入しないと、尖端部３１１ａと、内周シリンダ２０３の鍵穴２０３ａの係合は解除されない。このため、挿入部４１２を中途半端に挿入しても、完全挿入確認バネ３１１によるロックが解除されず、内周シリンダ２０３は、ジョイントカム２１２に対して相対的に回転できない。
【０１１５】
このように、シリンダ錠１９１は、鍵Ｋ3が完全に挿入された場合、内周シリンダ２０３が回転するように構成されている。このように構成することで、例えば、ピッキングなどによりシリンダ錠１９１が不正に開錠されることを抑止し、また、キーコードを変更するとき、鍵が完全に挿入されていない状態で、その形状が誤って認識され、誤ったキーコードが登録されることを抑止することができる。
【０１１６】
この例では、完全挿入確認バネ３１１の尖端部３１１ａと、挿入部４１２の尖端部が当接するようにシリンダ錠１９１が構成されているが、完全挿入確認バネ３１１の尖端部３１１ａを覆うボタンを設けて、このボタンと、挿入部４１２の尖端部が当接するようにシリンダ錠１９１を構成してもよい。図２９乃至図３３は、完全挿入確認ボタン３１２を設けた場合の、完全挿入確認バネ３１１と鍵Ｋ3の関係を表す図である。
【０１１７】
図２９は、完全挿入確認バネ３１１と完全挿入確認ボタン３１２の、内周シリンダ２０３またはジョイントカム２１２に対する取り付け位置を表す斜視図である。同図は、図２４に対応する図であるが、図２４の場合と異なり、完全挿入確認バネ３１１と、内周シリンダ２０３の間に、完全挿入確認ボタン３１２が装着されている。そして、鍵Ｋ3が完全に挿入されていない場合、完全挿入確認ボタン３１２が内周シリンダ２０３の鍵穴２０３ａに係合するように、バネにより付勢されている。
【０１１８】
図３０は、図２５に対応する縦断面図であり、図３１は、図３０の完全挿入確認ボタン３１２の周辺（図中円で囲まれた部分）を拡大した図である。
【０１１９】
図３１に示されるように、完全挿入確認バネ３１１は、内周シリンダ２０３とジョイントカム２１２の間に装着されており、尖端部３１１ａを覆う完全挿入確認ボタン３１２は、内周シリンダ２０３の鍵穴２０３ａに係合するため、バネ（尖端部３１１ａ）により付勢され、内周シリンダ２０３の内部（図中左側）に突出している。この状態では、内周シリンダ２０３は、完全挿入確認ボタン３１２によりロックされるため、ジョイントカム２１２に対して相対的に回転できない。
【０１２０】
図３２は、図３０のシリンダ錠１９１に鍵Ｋ3の挿入部４１２が挿入された状態を表す縦断面図である。同図に示されるように挿入部４１２が挿入されると、挿入部４１２の尖端部が完全挿入確認ボタン３１２と当接する。
【０１２１】
図３３は、図３２における完全挿入確認ボタン３１２の周辺（図中円で囲まれた部分）を拡大した図である。同図に示されるように、完全挿入確認ボタン３１２は、図中左方向から挿入される鍵の挿入部４１２の尖端部により図中右方向に押圧され、挿入部４１２の尖端部と当接する面が、内周シリンダ２０３の図中右端の面とほぼ同等の位置となるまで、図中右側に移動している。すなわち、完全挿入確認ボタン３１２と、内周シリンダ２０３の鍵穴２０３ａの係合が解除された状態となっている。この状態であれば、内周シリンダ２０３は、完全挿入確認ボタン３１２によるロックが解除されるため、ジョイントカム２１２に対して相対的に回転できる。
【０１２２】
このように構成することで、図２４を参照して上述した場合と同様に、シリンダ錠１９１が不正に開錠されることを抑止し、また、キーコードを変更するとき、誤ったキーコードが登録されることを抑止することができるとともに、鍵が完全に挿入されたか否かをより正確に検知することができる。
【０１２３】
鍵Ｋ3が挿入されたときのシリンダ錠１９１の内部の状態について、さらに詳細に説明する。図３４Ａ、図３４Ｂ、および図３４Ｃのそれぞれは、図２３のＣ−Ｃ線、Ｄ−Ｄ線、およびＥ−Ｅ線におけるシリンダ錠１９１の縦断面図である。
【０１２４】
図３４Ａで示されるように、開閉プレート２３１−３が鍵Ｋ3の挿入部４１２の位置決め面４２３に当接されることで、開閉プレート２３１−３を図中下方向に付勢するバネ２３２−３が縮み、開閉プレート２３１−３が図中上方向に移動すると共に、開閉プレート２３１−３と係合しているタンブラプレート２３３−３の図中上下方向の位置も位置決めされる。すなわち、開閉プレート２３１−３は、鍵Ｋ3の形状に応じて位置決め面４２３の位置が変化する方向である図３４Ａの上下方向に移動可能となるように設けられており、タンブラプレート２３３−３は、係合ピン２３３−３ｂおよび２３３−３ｃが係合穴２３１−３ａおよび２３１−３ｂにそれぞれ係合されているので、開閉プレート２３１−３の上下方向の位置を追従し、その位置が特定されるように設けられている。
【０１２５】
開閉プレート２３１−３は、鍵Ｋ3の挿入部４１２の位置決め面のうち、最も低い位置決め面４２３に当接するが、タンブラプレート２３３−３の係合ピン２３３−３ｂおよび２３３−３ｃは、開閉プレート２３１−３の係合穴２３１−３ａおよび２３１−３ｂのうち、最も高い位置の穴に係合しているので、タンブラプレート２３３−３は、位置決め面４２３に対してより高い位置に配置される。
【０１２６】
その結果、タンブラプレート２３３−３の凹部２３３−３ａの図中の上下方向の位置がサイドバー２５１の凸部２５１ａの図中の上下方向の位置に一致する。
【０１２７】
また、図３４Ｂで示されるように、開閉プレート２３１−５が鍵Ｋ3の挿入部４１２の位置決め面４２５に当接して、図中の上方向に移動されることで、開閉プレート２３１−５と共に、開閉プレート２３１−５と係合しているタンブラプレート２３３−５も上方向に移動される。
【０１２８】
開閉プレート２３１−５は、鍵Ｋ3の挿入部４１２の中間の高さの位置決め面４２５に当接するが、タンブラプレート２３３−５の係合ピン２３３−５ｂおよび２３３−５ｃは、開閉プレート２３１−５の係合穴２３１−５ａおよび２３１−５ｂのうち、中間の高さの穴に係合しているので、タンブラプレート２３３−５は、位置決め面４２５に対して中間の高さの位置に配置される。
【０１２９】
その結果、タンブラプレート２３３−５の凹部２３３−５ａの図中の上下方向の位置がサイドバー２５１の凸部２５１ａの図中の上下方向の位置に一致する。
【０１３０】
さらに、図３４Ｃで示されるように、開閉プレート２３１−７が鍵Ｋ3の挿入部４１２の位置決め面４２７に当接して、図中の上方向に移動されることで、開閉プレート２３１−７と共に、開閉プレート２３１−７と係合しているタンブラプレート２３３−７も上方向に移動される。
【０１３１】
開閉プレート２３１−７は、鍵Ｋ3の挿入部４１２の最も高い位置決め面４２７に当接するが、タンブラプレート２３３−７の係合ピン２３３−７ｂおよび２３３−７ｃは、開閉プレート２３１−７の係合穴２３１−７ａおよび２３１−７ｂのうち、最も低い位置の穴に係合しているので、タンブラプレート２３３−７は、位置決め面４２７に対してより低い位置に配置される。
【０１３２】
その結果、タンブラプレート２３３−７の凹部２３３−７ａの図中の上下方向の位置がサイドバー２５１の凸部２５１ａの図中の上下方向の位置に一致する。
【０１３３】
以上、タンブラプレート２３３−３，２３３−５および２３３−７について説明したが、タンブラプレート２３３−１，２３３−２，２３３−４，２３３−６、および２３３−８も同様に、その凹部２３３−１ａ，２３３−２ａ，２３３−４ａ，２３３−６ａ、および２３３−８ａの位置がサイドバー２５１の凸部２５１ａの位置に一致する。すなわち、シリンダ錠１９１は、正規の鍵Ｋ3の挿入部４１２の形状（位置決め面４２１乃至４２８の高さ）に合わせてキーコードが設定されているので、鍵Ｋ3が挿入された場合、各タンブラプレートの凹部の位置が全てサイドバー２５１の凸部２５１ａの位置と一致する。従って、サイドバー２５１の凸部２５１ａは、内周シリンダ２０３を回動してシリンダ錠１９１を開錠する際には、タンブラプレート２３３−１乃至２３３−８の凹部２３３−１ａ乃至２３３−８ａに挿入されることになる。
【０１３４】
次に、図３５乃至図３９を参照して、シリンダ錠１９１の開錠の詳細について、順を追って説明する。図３５は、鍵Ｋ3が挿入されていない状態の、図１７のＡ−Ａ線におけるシリンダ錠１９１の縦断面図である。同図に示されるように、シリンダ錠１９１には鍵Ｋ3の挿入部４１２が挿入されていないため、開閉プレート２３１−４は、挿入部４１２の位置決め面と当接しておらず、開閉プレート用バネ２３２−４によって、図中下方向に付勢され、開閉プレート２３１−４と共に、開閉プレート２３１−４と係合しているタンブラプレート２３３−４も下方向に付勢されている。その結果、タンブラプレート２３３−４の凹部２３３−４ａの図中の上下方向の位置とサイドバー２５１の凸部２５１ａの図中の上下方向の位置が一致していない。
【０１３５】
図３６は、このときのサイドバー２５１、開閉プレート２３１−４、およびタンブラプレート２３３−４の位置の関係を表す斜視図である。同図においては、タンブラプレート用孔２５１ｃの中で、タンブラプレート２３３−４の凹部２３３−４ａの上下方向の位置とサイドバー２５１の凸部２５１ａの上下方向の位置が一致しない状態となっており、サイドバー２５１は、開閉プレート２３１−４、およびタンブラプレート２３３−４に対して、後述する図３９の場合と比較して、遠い位置にある（離れている）。
【０１３６】
次に、シリンダ錠１９１に鍵Ｋ3が挿入されると、図３７に示されるように、開閉プレート２３１−４が鍵Ｋ3の挿入部４１２の位置決め面４２４に当接して、図中の上方向に移動されることで、開閉プレート２３１−４と共に、開閉プレート２３１−４と係合しているタンブラプレート２３３−４も上方向に移動される。その結果、タンブラプレート２３３−４の凹部２３３−４ａの図中の上下方向の位置がサイドバー２５１の凸部２５１ａの図中の上下方向の位置に一致する。
【０１３７】
上述したように、正規の鍵Ｋ3が完全に挿入されると、タンブラプレート２３３−４に限らず、タンブラプレート２３３−１乃至２３３−８の全てがそれぞれ移動され、タンブラプレート２３３−１乃至２３３−８の凹部２３３−１ａ乃至２３３−８ａの図中の上下方向の位置が、全てサイドバー２５１の凸部２５１ａの図中の上下方向の位置に一致する。
【０１３８】
この状態で、ユーザが鍵Ｋ3を図中時計回りに回動させると、サイドバー２５１（の凸部２５１ｂ）は、外周シリンダ２０１（凹部２０１ｄ）の形状に沿って、図中右方向に緩やかに押圧される。そして、サイドバー２５１が右方向に移動して、凸部２５１ａがタンブラプレートの凹部２３３−１a乃至２３３−８ａに挿入されることになる。
【０１３９】
すなわち、図３８に示されるように、鍵Ｋ3が回動されることで、外周シリンダ２０１の凹部２０１dとサイドバー２５１の凸部２５１ｂとの嵌合が解除される（内周シリンダ２０３が外周シリンダ２０１に対して回動する状態になる）。
【０１４０】
このとき、開閉プレート２３１−４とタンブラプレート２３３−４が係合する部分である係合穴２３１−４ａおよび係合穴２３１−４ｂと係合ピン２３３−４ｂおよび係合ピン２３３−４ｃには、図中上下方向に、互いに相反する方向に力がかかる（負荷がかかる）が、係合穴２３１−４ａおよび係合穴２３１−４ｂと係合ピン２３３−４ｂおよび係合ピン２３３−４ｃは、前後方向（図中奥行方向）に係合するように構成されているので、回動中に係合が外れる可能性は低く、その結果シリンダ錠１９１の耐久性が向上する。
【０１４１】
図３９は、このときのサイドバー２５１、開閉プレート２３１−４、およびタンブラプレート２３３−４の位置の関係を表す斜視図である。同図においては、タンブラプレート用孔２５１ｃの中で、タンブラプレート２３３−４の凹部２３３−４ａの上下方向の位置とサイドバー２５１の凸部２５１ａの上下方向の位置が一致した状態となっており、サイドバー２５１の凸部２５１ａがタンブラの凹部２３３−１a乃至２３３−８ａに挿入されたため、サイドバー２５１は、開閉プレート２３１−４、およびタンブラプレート２３３−４に対して、図３６の場合と比較して近接している。
【０１４２】
このように、シリンダ錠１９１は、正規の鍵Ｋ3を完全に挿入し、回動させることで開錠することができる。シリンダ錠１９１の開錠を制御する部品は、主に、サイドバー２５１、開閉プレート２３１−１乃至２３１−８、およびタンブラプレート２３３−１乃至２３３−８なので、従来のシリンダ錠に比べて部品数が少なく、シリンダ錠１９１を、簡単かつ耐久性の高い構造にすることができる。
【０１４３】
一方、正規の鍵Ｋ3が完全に挿入されていない場合、シリンダ錠１９１を開錠することはできない。すなわち、正規の鍵以外の鍵を挿入したり、正規の鍵Ｋ3の挿入が完全でないような（鍵Ｋ3を中途半端に挿入したような）場合、図４０に示されるように、開閉プレート２３１−４が挿入された鍵の位置決め面に当接して、図中の上方向に移動されることで、開閉プレート２３１−４と共に、開閉プレート２３１−４と係合しているタンブラプレート２３３−４も上方向に移動されるものの、タンブラプレート２３３−４の凹部２３３−４ａの図中の上下方向の位置がサイドバー２５１の凸部２５１ａの図中の上下方向の位置に一致しない状態になる。
【０１４４】
なお、図４０において、シリンダ錠１９１には正規の鍵Ｋ3以外の鍵が挿入されており、開閉プレート２３１−４は、その鍵の位置決め面（位置決め面４２４とは、図中上下方向の位置が異なる位置決め面）と当接しているものとする。
【０１４５】
この状態で、鍵を回動しようとすると、サイドバー２５１（の凸部２５１ｂ）は、上述した場合と同様に、外周シリンダ２０１（凹部２０１ｄ）の形状に沿って、図中右方向に緩やかに押圧されるが、凸部２５１ａが、タンブラプレート２３３−４の凹部２３３−４ａのやや上の部分に当接してしまい、サイドバー２５１は、図中右側に移動することができない。従って、外周シリンダ２０１の凹部２０１dとサイドバー２５１の凸部２５１ｂとの嵌合が解除されず、鍵を回動させることはできない。
【０１４６】
仮に、その鍵の開閉プレート２３１−４に対応する位置決め面の高さが、偶然適当な位置に設定されており、凹部２３３−４ａの図中の上下方向の位置がサイドバー２５１の凸部２５１ａの図中の上下方向の位置に一致したとしても、正規の鍵Ｋ3を完全に挿入しなければ、凹部２３３−１ａ乃至２３３−８ａのいずれかのうち、少なくとも１つは、サイドバー２５１の凸部２５１ａと、図中の上下方向の位置が一致しない状態になる。
【０１４７】
従って、サイドバー２５１（の凸部２５１ｂ）を図中右方向に押圧しても、タンブラプレート２３３−１乃至２３３−８のいずれかのうち、少なくとも１つは、サイドバー２５１の凸部２５１ａと、その凹部２３３−１ａ乃至２３３−８ａ以外の部分で当接してしまい、サイドバー２５１の凸部２５１ａが、タンブラの凹部２３３−１a乃至２３３−８ａに挿入されず、外周シリンダ２０１の凹部２０１ｄとサイドバー２５１の凸部２５１ｂとの嵌合が外れることがないため内周シリンダ２０３は外周シリンダ２０１に対して回動することができないことになる。
【０１４８】
このように、シリンダ錠１９１は、正規の鍵Ｋ3が完全に挿入されなければ、開錠できないように施錠されている。
【０１４９】
次に、図４１乃至図４６を参照してシリンダ錠１９１のキーコードをリセットするリセット状態への移行について説明する。図４１は、リセットボタン２１１を説明する図である。同図に示されるように、リセットボタン２１１は、図中の上下方向に移動可能に設けられている。リセットボタン２１１の凸部２１１ａは、ジョイントブロック２４２に当接し、ジョイントブロック２４２に当接するリセット用バネ２４３は、内周シリンダ２０３の孔２８１ｊに配置される。リセット用バネ２４３は、ジョイントブロック２４２、およびリセットボタン２１１を図中の上側に付勢する。
【０１５０】
リセットボタン２１１が図中の下方向に押圧されていない状態においては、ジョイントブロック２４２が、内周シリンダ２０３の孔２８１ｊに挿入され、嵌合されると共に、ジョイントブロック２４２は、ジョイントカム２１２の凹部２１２ｃと嵌合する。従って、リセットボタン２１１が図中の下方向に押圧されていない状態においては、内周シリンダ２０３にジョイントカム２１２が固定される。
【０１５１】
一方、リセットボタン２１１が図中の下方向に押圧された場合、ジョイントブロック２４２が、図中の下方向に移動し、リセットボタン２１１がジョイントカム２１２に嵌合する。そして、ジョイントブロック２４２の上側の面と、ジョイントカム２１２の内周の面とが一致することにより、外周シリンダ２０１に対して、内周シリンダ２０３は回動自在となるとともに、ジョイントカム２１２は、外周シリンダ２０１に固定される。
【０１５２】
図４２Ａは、正規の鍵Ｋ3が挿入され、リセットされていないシリンダ錠１９１について、図１７の図中上方向からみた断面図である。図４２Ｂは、図４２ＡのＦ−Ｆ線におけるシリンダ錠１９１の縦断面図である。
【０１５３】
図４２Ａに示されるように、開閉プレート２３１−１乃至２３１−８は、タンブラプレート２３３−１乃至２３３−８と係合されており、図４２Ｂに示されるように、正規の鍵Ｋ3が挿入されることで、タンブラプレート２３３−４（タンブラプレート２３３−１乃至２３３−８も同様）は、タンブラプレート２３３−４の凹部２３３−４ａの図中の上下方向の位置がサイドバー２５１の凸部２５１ａの図中の上下方向の位置に一致するように位置決めされている。
【０１５４】
シリンダ錠１９１をリセットする場合、リセットボタン２１１を押下した状態で、鍵Ｋ3を回動させる。すなわち、シリンダ１９１を開錠する場合と同様に、外周シリンダ２０１の凹部２０１dとサイドバー２５１の凸部２５１ｂとの嵌合が解除され、内周シリンダ２０３が外周シリンダ２０１に対して回動するが、シリンダ１９１を開錠する場合と異なり、リセットボタン２１１がジョイントカム２１２に嵌合しているため、ジョイントカム２１２は、外周シリンダ２０１に固定され、回動しない。
【０１５５】
図４３は、図４２Ａに示される状態から、リセットボタン２１１を押下して、鍵Ｋ3を１８０°回動させた状態を表す図である。同図においては、内周シリンダ２０３の回動に伴って、開閉プレート２３１−１乃至２３１−８、タンブラプレート２３３−１乃至２３３−８、およびサイドバー２５１も回動している。すなわち、図４２Ａにおいて、タンブラプレート２３３−１乃至２３３−８およびサイドバー２５１は、図中左側に表示されているが、図４３において、タンブラプレート２３３−１乃至２３３−８およびサイドバー２５１は、図中右側に表示されている。なお、開閉プレート２３１−１乃至２３１−８は、図４２Ａの状態から、その上下が逆転した状態となっている。
【０１５６】
サイドバー２５１は、サイドバー２５１の図４３中上方向の端部に当接するように装着されたサイドバー前後移動用バネ２５２−３により図４３中下方向に付勢される。さらにジョイントカム２１２は、図４３中左側の端部２１２ｄに対して、図４３中右側の端部２１２ｅの方が下方向に突出するように構成されており、ジョイントカム２１２の端部に、図４３中上側の端部を当接させながら回動するサイドバー２５１は、サイドバー前後移動用バネ２５２−３とジョイントカム２１２端部２１２ｅにより図４３中下方向に付勢され、サイドバー２５１全体が、図４３中下方向に移動する。その結果、サイドバー２５１の図４３中下側の端部２５１ｄが、外周シリンダ２０１の凹部２０１ｅに嵌合する。
【０１５７】
このとき、図２１を参照して上述したように、サイドバー２５１のタンブラプレート用孔２５１ｃに嵌合しているタンブラプレート２３３−１乃至２３３−８もサイドバー２５１の移動に伴って、図４３中下方向に移動する。そして、タンブラプレート２３３−１乃至２３３−８の面２３３−１ｄ乃至２３３−８ｄは、開閉プレート２３１−１乃至２３１−８の面２３１−１ｄ乃至２３１−８ｄから離れ、係合ピン２３３−１ｂ乃至２３３−８ｂおよび係合ピン２３３−１ｃ乃至２３３−８ｃと、係合穴２３１−１ａ乃至２３１−８aおよび係合穴２３１−１ｂ乃至２３１−８ｂとの係合が解除される。
【０１５８】
図４４Ａ、図４４Ｂ、図４５Ａ、および図４５Ｂを参照して、サイドバー２５１の移動に伴って、開閉プレート２３１−１乃至２３１−８とタンブラプレート２３３−１乃至２３３−８の係合が解除される様子を説明する。
【０１５９】
図４４Ａは、開閉プレート２３１−４とタンブラプレート２３３−４の係合が解除されていない状態の、サイドバー２５１の位置を表す斜視図である。同図において、サイドバー２５１（内周シリンダ２０３）は、その端部２５１ｄが、図４３の外周シリンダ２０１の凹部２０１ｅに嵌合する位置まで回動されていないものとする。
【０１６０】
図４４Ｂは、図４４Ａを矢印４９１の方向からみた図である。同図に示されるように、タンブラプレート２３３−４の係合ピン２３３−４ｂおよび２３３−４ｃが開閉プレート２３１−４の係合穴２３１−４ａおよび係合穴２３１−４ｂと係合し、その結果、開閉プレート２３１−４の面２３１−４ｄとタンブラプレート２３３−４の面２３３−４ｅとがほぼ当接している。
【０１６１】
図４５Ａは、図４４Ａに示される状態から、内周シリンダ２０３がさらに回動され、サイドバー２５１の端部２５１ｄが、図４３の外周シリンダ２０１の凹部２０１ｅに嵌合する位置となった状態を表す斜視図である。同図においては、サイドバー２５１が、矢印５１１で示される方向に移動しており、サイドバー２５１の移動に伴って、タンブラプレート２３３−４も矢印５１１で示される方向に移動している。これに対して、開閉プレート２３１−４は移動していない。
【０１６２】
図４５Ｂは、図４５Ａを図４５Ａの矢印４９２の方向からみた図である。同図に示されるように、サイドバー２５１の移動に伴って、タンブラプレート２３３−４も図中右方向に移動したため、開閉プレート２３１−４の面２３１−４ｄからタンブラプレート２３３−４の面２３３−４ｅが離れ、係合ピン２３３−４ｂおよび２３３−４ｃと、開閉プレート２３１−４の係合穴２３１−４ａおよび係合穴２３１−４ｂとの係合が解除されている。
【０１６３】
図４４Ａ、図４４Ｂ、図４５Ａ、および図４５Ｂにおいては、例として、開閉プレート２３１−４とタンブラプレート２３３−４との係合が解除される様子を説明したが、開閉プレート２３１−１乃至３とタンブラプレート２３３−１乃至３の係合、および開閉プレート２３１−５乃至８とタンブラプレート２３３−５乃至８の係合も同様にして解除される。
【０１６４】
この状態で、鍵Ｋ3をシリンダ錠１９１から引き抜くと、リセットが完了する。
【０１６５】
図４６は、図４３のＧ−Ｇ線におけるシリンダ錠１９１の縦断面図である。図４６において、鍵Ｋ3はシリンダ錠１９１から引き抜かれたものとする。同図に示されるように、鍵Ｋ3が引き抜かれたことにより、開閉プレート２３１−４（開閉プレート２３１−１乃至２３１−８も同様）は、開閉プレート用バネ２３２−４により付勢され、図中上方向に移動する。一方、タンブラプレート２３３−４は、凹部２３３−４ａがサイドバー２５１の凸部２５１ａに嵌合して固定されているため移動しない。このとき、開閉プレート２３１−４は、係合穴２３１−４ａおよび係合穴２３１−４ｂのいずれの穴の位置も、タンブラプレート２３３−４の係合ピン２３３−４ｂおよび２３３−４ｃの位置と一致しない状態となるまで、図中上方向に移動する。
【０１６６】
このようにして、シリンダ錠１９１に設定されていた鍵Ｋ3に対応するキーコードがリセットされる。
【０１６７】
次に、シリンダ錠１９１のキーコードを、新しい鍵Ｋ4に対応するキーコードに変更する操作について説明する。キーコードを変更する場合、鍵Ｋ3をシリンダ錠１９１から引き抜いた後、新しい鍵Ｋ4をシリンダ錠１９１に挿入し、鍵Ｋ4を回動させる。
【０１６８】
図４７Ａは、図４３に示される状態から、鍵Ｋ3が引き抜かれ、新しい鍵（例えば、鍵Ｋ4）が挿入された状態を表す図である。図４７Ｂは、図４７ＡのＨ−Ｈ線におけるシリンダ錠１９１の縦断面図である。図４７Ｂに示されるように、鍵Ｋ4が挿入されたことにより、開閉プレート２３１−４（開閉プレート２３１−１乃至２３１−８も同様）が、鍵Ｋ4の所定の位置決め面に当接することにより図中下方向に移動する。この例では、開閉プレート２３１−４は、係合穴２３１−４ａおよび係合穴２３１−４ｂの図中最も下側の穴の位置が、タンブラプレート２３３−４の係合ピン２３３−４ｂおよび２３３−４ｃの位置と一致する状態となるまで、図中下方向に移動している。
【０１６９】
この状態で、鍵Ｋ4を反時計回り（時計回りでもよい）に回動させることによりシリンダ錠１９１のキーコードは変更される。図４７Ａにおいて、鍵Ｋ4を反時計回り（時計回りでもよい）に回動させるとき、サイドバー２５１は、外周シリンダの凹部２０１ｅの形状に従って、図中上方向に緩やかに押圧され、内周シリンダ２０３（鍵Ｋ4）の回動に伴って、図中上方向に移動する。これにより、図４４Ａ、図４４Ｂ、図４５Ａ、および図４５Ｂを参照して上述した場合とは逆に、サイドバー２５１の移動に伴って、開閉プレート２３１−１乃至２３１−８とタンブラプレート２３３−１乃至２３３−８が係合する。
【０１７０】
図４８Ａは、図４７Ａに示される状態から、鍵Ｋ4（内周シリンダ２０３）を反時計回り（時計回りでもよい）に１８０°回動させた状態を表す図である。同図において、内周シリンダ２０３の回動に伴って、開閉プレート２３１−１乃至２３１−８、タンブラプレート２３３−１乃至２３３−８、およびサイドバー２５１も回動している。すなわち、図４７Ａにおいて、タンブラプレート２３３−１乃至２３３−８およびサイドバー２５１は、図中右側に表示されているが、図４８Ａにおいて、タンブラプレート２３３−１乃至２３３−８およびサイドバー２５１は、図中左側に表示されている。なお、開閉プレート２３１−１乃至２３１−８は、図４７Ａの状態からその上下が逆転した状態となっている。そして、サイドバー２５１が図中上方向に移動したことに伴って、開閉プレート２３１−１乃至２３１−８と、タンブラプレート２３３−１乃至２３３−８が、鍵Ｋ4の位置決め面に合わせた状態に係合されている。
【０１７１】
また、リセット用バネ２４３の付勢力によってリセットボタン２１１が図４１の上方向に戻り、再び内周シリンダ２０３とジョイントカム２１２がジョイントブロック２４２を介して固定される。
【０１７２】
図４８Ｂは、図４８ＡのＩ−Ｉ線におけるシリンダ錠１９１の縦断面図である。同図に示されるように、鍵Ｋ4が挿入されたことで、タンブラプレート２３３−４（タンブラプレート２３３−１乃至２３３−８も同様）は、タンブラプレート２３３−４の凹部２３３−４ａの図中の上下方向の位置がサイドバー２５１の凸部２５１ａの図中の上下方向の位置に一致するように位置決めされている。すなわち、シリンダ錠１９１のキーコードが、新しい鍵Ｋ4に対応するキーコードに変更されている。
【０１７３】
サイドバー２５１は、サイドバー左右移動用バネ２５２−１および２５２−２により図中左方向に付勢されるため、外周シリンダ２０１の凹部２０１dとサイドバー２５１の凸部２５１ｂが嵌合し、サイドバー２５１は、図中左の方向に移動する。これにより、サイドバー２５１の凸部２５１ａとタンブラプレート２３３−４の凹部２３３−４ａの嵌合が解除される。
【０１７４】
この状態で、鍵Ｋ4をシリンダ錠１９１から引き抜くと、キーコードの変更が完了する。タンブラプレート２３３−１乃至２３３−８は、鍵Ｋ4の位置決め面に基づいて、その凹部２３３−１ａ乃至２３３−８ａの図中の上下方向の位置がサイドバー２５１の凸部２５１ａの図中の上下方向の位置に一致するように位置決めされているので、キーコードの変更が完了した後、シリンダ錠１９１は、鍵Ｋ4以外の鍵では開錠できないようになる。
【０１７５】
このようにしてシリンダ錠１９１のキーコードが変更される。
【０１７６】
次に、図４９乃至図５２を参照して、シリンダ錠１９１の中で、鍵が挿入される内周シリンダ２０３の内部構造の詳細について説明される。
【０１７７】
図４９は、内周シリンダ２０３の外観を表す図であり、図５０は、図４９の斜線で示される面５５１に沿って内周シリンダ２０３を切断した場合の断面図である。上述したように、ユーザは、鍵（例えば、鍵Ｋ3）を内周シリンダの鍵穴２０３ａに挿入する。このとき、鍵Ｋ3の挿入部４１２は、その尖端が図中左側（シリンダ錠１９１において鍵穴２０３ａが露出する側）から、図中右側（ジョイントカム２１２側）に向かって挿入される。なお、図５０では、完全挿入確認バネ３１１の記載を省略している。
【０１７８】
図５１は、図５０の内周シリンダ２０３の図中右側の端部付近（図中円で囲まれた部分）を拡大した図である。同図に示されるように、内周シリンダ２０３の内側の面（鍵Ｋ3の挿入部４１２と当接する側の面）におけるジョイントカム２１２側の図中上側に位置する端部２０３ｂは、図中右側に向かって下がる傾斜を有している。端部２０３ｂの傾斜は、鍵Ｋ3の挿入部４１２の尖端部の形状に合わせて形成されており、鍵Ｋ3が内周シリンダの鍵穴２０３ａに完全に挿入されたとき、挿入部４１２の尖端部が端部２０３ｂと当接する。
【０１７９】
また、図５１には記載が省略されているが、端部２０３ｂと対面するように、内周シリンダ２０３の内側の面（鍵Ｋ3の挿入部４１２と当接する側の面）におけるジョイントカム２１２側の図中下側に位置する端部２０３cも、鍵Ｋ3の挿入部４１２の尖端部の形状に合わせて、図中右側に向かって上がる傾斜を有している。従って、鍵Ｋ3が内周シリンダの鍵穴２０３ａに完全に挿入されたとき、挿入部４１２の尖端部が、端部２０３ｂと端部２０３ｃに挟まれるようにして止まる。
【０１８０】
図５２は、鍵Ｋ3が完全に挿入されたときのシリンダ錠１９１の断面図である。同図に示されるように、挿入部４１２の尖端部が、端部２０３ｂと端部２０３ｃに挟まれるように当接している。
【０１８１】
内周シリンダ２０３の内部をこのように構成することで、完全に挿入された鍵Ｋ3は、挿入部４１２の尖端部が、端部２０３ｂと端部２０３ｃにより挟まれて止まるので、内周シリンダ２０３の中で、挿入部４１２の図中上下方向の高さが一定に保持される。その結果、開閉プレート２３１−１乃至２３１−８は、それぞれ挿入部４１２の所定の位置決め面と正確に当接し、シリンダ錠１９１の開施錠の動作の安定性を向上させることができる。
【図面の簡単な説明】
【０１８２】
【図１】従来のシリンダ錠の縦断面図である。
【図２】正規の鍵が挿入されている従来のシリンダ錠に縦断面図である。
【図３】リセット状態への移行を説明する、従来のシリンダ錠の縦断面図である。
【図４】リセット状態への移行を説明する、従来のシリンダ錠の縦断面図である。
【図５】リセット状態への移行を説明する、従来のシリンダ錠の縦断面図である。
【図６】リセット状態の従来のシリンダ錠の縦断面図である。
【図７】キーコードの変更を説明する、従来のシリンダ錠の縦断面図である。
【図８】キーコードの変更を説明する、従来のシリンダ錠の縦断面図である。
【図９】キーコードの変更を説明する、従来のシリンダ錠の縦断面図である。
【図１０】キーコードが変更された従来のシリンダ錠の縦断面図である。
【図１１】従来のシリンダ錠の断面図である。
【図１２】本発明のシリンダ錠の前端部側の外観斜視図である。
【図１３】本発明のシリンダ錠の後端部側の外観斜視図である。
【図１４】本発明の係るシリンダ錠を正面からみた図である。
【図１５】本発明のシリンダ錠を側面からみた図である。
【図１６】本発明のシリンダ錠の構成を示す斜視図である。
【図１７】本発明のシリンダ錠の鍵が挿入される方向における縦断面図である。
【図１８】図１７のＡ−Ａ線におけるシリンダ錠の縦断面図である。
【図１９】開閉プレートとタンブラプレートの関係を示す斜視図である。
【図２０】開閉プレートとタンブラプレートの関係を示す斜視図である。
【図２１】開閉プレート、タンブラプレート、およびサイドバーの関係を示す斜視図である。
【図２２】正規の鍵の外観の例を示す斜視図である。
【図２３】鍵が完全に挿入されたシリンダ錠の縦断面図である。
【図２４】完全挿入確認バネの取り付け位置を説明する図である。
【図２５】完全挿入確認バネが装着されたシリンダ錠の断面図である。
【図２６】図２５の完全挿入確認バネの拡大図である。
【図２７】鍵が完全に挿入されたシリンダ錠の縦断面図である。
【図２８】図２８の完全挿入確認バネの拡大図である。
【図２９】完全挿入確認ボタンを説明する図である
【図３０】完全挿入確認ボタンが装着されたシリンダ錠の断面図である。
【図３１】図３０の完全挿入確認ボタンの拡大図である。
【図３２】鍵が完全に挿入されたシリンダ錠の断面図である。
【図３３】図３２の完全挿入確認ボタンの拡大図である。
【図３４】図２３のＣ−Ｃ線、Ｄ−Ｄ線、およびＥ−Ｅ線におけるシリンダ錠の縦断面図である。
【図３５】鍵が挿入される前のシリンダ錠の縦断面図である。
【図３６】図３５の状態における開閉プレート、タンブラプレート、およびサイドバーの位置の関係を示す図である。
【図３７】鍵が挿入されたシリンダ錠の縦断面図である。
【図３８】鍵を回動するときのシリンダ錠の縦断面図である。
【図３９】図３８の状態における開閉プレート、タンブラプレート、およびサイドバーの位置の関係を示す図である。
【図４０】正規の鍵が挿入されていないシリンダ錠の縦断面図である。
【図４１】リセットボタンを説明する図である。
【図４２】リセットボタンが押下されたときのシリンダ錠の断面図である。
【図４３】図４２の状態から鍵を回動させたときのシリンダ錠の断面図である。
【図４４】リセットさせる前の開閉プレート、タンブラプレート、およびサイドバーの位置の関係を示す図である。
【図４５】リセットされるときの開閉プレート、タンブラプレート、およびサイドバーの位置の関係を示す図である。
【図４６】リセットが完了したシリンダ錠の断面図である。
【図４７】キーコードの変更するときのシリンダ錠の断面図である。
【図４８】キーコードの変更が完了したシリンダ錠の断面図である。
【図４９】内周シリンダの外観を示す図である。
【図５０】図４９の内周シリンダの断面図である。
【図５１】図５０の内周シリンダの端部の拡大図である。
【図５２】鍵が完全に挿入されたシリンダ錠の断面図である。
【符号の説明】
【０１８３】
１９１  シリンダ錠，
２０１  外周シリンダ，
２０１ｄ  凹部，
２０３  内周シリンダ，
２０３ａ  鍵穴，
２０３ｂ  端部，
２１１  リセットボタン，
２１２  ジョイントカム，
２３１−１乃至２３１−８  開閉プレート，
２３１−１ａ乃至２３１−８ａ  係合穴，
２３１−１ｂ乃至２３１−８ｂ  係合穴，
２３２−１乃至２３２−８  開閉プレート用バネ，
２３３−１乃至２３３−８  タンブラプレート，
２３３−１a乃至２３３−８ａ  凹部，
２３３−１ｂ乃至２３３−８ｂ  係合ピン，
２５１  サイドバー，
２５１ａ  凸部，
３１１  完全挿入確認バネ，
３１１ａ  尖端部，
３１２  完全挿入確認ボタン，
Ｋ3  鍵，
Ｋ4  鍵
【図１】
2005232800.tif 000003
【図２】
2005232800.tif 000004
【図３】
2005232800.tif 000005
【図４】
2005232800.tif 000006
【図５】
2005232800.tif 000007
【図６】
2005232800.tif 000008
【図７】
2005232800.tif 000009
【図８】
2005232800.tif 000010
【図９】
2005232800.tif 000011
【図１０】
2005232800.tif 000012
【図１１】
2005232800.tif 000013
【図１２】
2005232800.tif 000014
【図１３】
2005232800.tif 000015
【図１４】
2005232800.tif 000016
【図１５】
2005232800.tif 000017
【図１６】
2005232800.tif 000018
【図１７】
2005232800.tif 000019
【図１８】
2005232800.tif 000020
【図１９】
2005232800.tif 000021
【図２０】
2005232800.tif 000022
【図２１】
2005232800.tif 000023
【図２２】
2005232800.tif 000024
【図２３】
2005232800.tif 000025
【図２４】
2005232800.tif 000026
【図２５】
2005232800.tif 000027
【図２６】
2005232800.tif 000028
【図２７】
2005232800.tif 000029
【図２８】
2005232800.tif 000030
【図２９】
2005232800.tif 000031
【図３０】
2005232800.tif 000032
【図３１】
2005232800.tif 000033
【図３２】
2005232800.tif 000034
【図３３】
2005232800.tif 000035
【図３４】
2005232800.tif 000036
【図３５】
2005232800.tif 000037
【図３６】
2005232800.tif 000038
【図３７】
2005232800.tif 000039
【図３８】
2005232800.tif 000040
【図３９】
2005232800.tif 000041
【図４０】
2005232800.tif 000042
【図４１】
2005232800.tif 000043
【図４２】
2005232800.tif 000044
【図４３】
2005232800.tif 000045
【図４４】
2005232800.tif 000046
【図４５】
2005232800.tif 000047
【図４６】
2005232800.tif 000048
【図４７】
2005232800.tif 000049
【図４８】
2005232800.tif 000050
【図４９】
2005232800.tif 000051
【図５０】
2005232800.tif 000052
【図５１】
2005232800.tif 000053
【図５２】
2005232800.tif 000054